(57)【要約】      （修正有）【課題】  開操作が簡単で不測に開いてしまうことを防止できる蓋体ロック構造を提供する。【解決手段】  蓋体１２を、本体部１５に枢着されたロック部材３１の遊端の係止爪３２による係止で、閉状態に保持する蓋体ロック構造２１であって、ロック部材には、ロック部材を係止方向に付勢する第１付勢手段３５と、押圧されることで第１付勢手段に抗してロック部材を回転させる被押圧部３６とが設けられ、被押圧部には、被押圧部上をその長さ方向に沿って相対摺動する操作部材４１が取付けられるとともに、操作部材には、操作部材をロック部材から離反する方向に付勢する第２付勢手段６２が設けられ、本体部１５には、操作部材が第２付勢手段の付勢力に抗してロック部材に近接する方向に移動させられたとき所定距離の摺動を補助する摺動補助部３６と、ロック部材の回転を許容する凹所５１が形成された蓋体ロック構造。【選択図】    図１
2006298449.tif 000002
【特許請求の範囲】
【請求項１】
本体部の上に取付けられる蓋体を、本体部に枢着されたロック部材の遊端の係止爪による係止で、閉状態に保持する蓋体ロック構造であって、
上記ロック部材には、該ロック部材を上記係止爪が係止する方向に付勢する第１付勢手段と、押圧されることで上記第１付勢手段に抗して当該ロック部材を回転させる被押圧部とが設けられ、
該被押圧部には、該被押圧部上をその長さ方向に沿って相対摺動する操作部材が取付けられるとともに、
該操作部材には、当該操作部材をロック部材から離反する方向に付勢する第２付勢手段が設けられ、
上記本体部には、操作部材が第２付勢手段の付勢力に抗してロック部材に近接する方向に移動させられたとき所定距離の摺動を補助する摺動補助部と、
操作部材が摺動補助部を越えた位置にあって摺動方向と交わる方向から押圧力を受けたときに上記ロック部材の回転を許容する凹所が形成された
蓋体ロック構造。
【請求項２】
前記操作部材が、凹所の内底面に向けて延びる足部を有し、
凹所の内底面には、上記足部を摺動可能に受ける受け部が形成された
請求項１に記載の蓋体ロック構造。
【請求項３】
前記摺動補助部の手前側角が、曲面又は傾斜面を有する
請求項１または請求項２に記載の蓋体ロック構造。
【請求項４】
前記第１付勢手段が、ロック部材の内側面の左右両側に離間されて配設されるとともに、これら第１付勢手段の間に前記第２付勢手段が配置された
請求項１から請求項３のうちのいずれか一項に記載の蓋体ロック構造。
【請求項５】
前記請求項１から請求項４のうちのいずれか一項に記載の蓋体ロック構造を備えた
飲料容器。
【請求項６】
前記請求項１から請求項４のうちのいずれか一項に記載の蓋体ロック構造を備えるとともに、
前記本体部が、内部の飲料を直接飲むための飲み口部を有した
飲料容器。
【発明の詳細な説明】
【技術分野】
【０００１】
この発明は、蓋体の開操作が簡単でありながらも、蓋体が不測に開いてしまうことを防止できるような蓋体ロック構造に関し、より詳しくは、各種容器、特に携帯魔法瓶などのような飲料容器に備えるのに好適な、蓋体ロック構造に関する。
【背景技術】
【０００２】
蓋体が偶発的に開くのを阻止するロック装置としては、下記特許文献１に開示されているものがある。
【０００３】
このロック装置は、止め要素と、これとは別の蓋体とに対して、別方向に作用する力が加えられた時にロックが解除されるというものであって、止め要素を押圧すると同時に、これと係合している蓋体を、止め要素の押圧方向とは異なる方向に移動させるとロックが解除され、蓋体が開くように構成されている。
【０００４】
ロック解除のための動作を具体的に示せば、止め要素と蓋体との間に指先を入れるとともに、その指先で蓋体を押せばよいというもので、その動作は簡単である。
【０００５】
しかし、このような構成では、何らかの突起物が止め要素と蓋体との間に入り、その突起物に対して蓋体をこじるような力が作用すればロックが解除されてしまう。
【０００６】
このため、例えばバッグやリュックの内部など、他の物品と接触する機会があるものに対して、上記構成が採用された場合には、蓋体が不測に開いてしまうことがある。
【０００７】
一方、バッグやリュック等に入れて持ち運ばれることの多い飲料容器であって、内部の飲料を飲むのに口を直接付けて飲む飲み口を有した飲料容器においては、偶発的に蓋体が開くのを防止するため、下記特許文献２に開示されているようなロック構造が採用されている。
【０００８】
すなわち、閉方向に付勢されていて下部の押動部を押すことで回動するロック部材と、これとは別に設けられて蓋体に対して係合するロックリングとからなり、押動部が押されても、ロックリングが係合されている限り、蓋体が開かないように構成されている。
【０００９】
このような構成によれば、ロックリングが外されている場合には、押動部を押すだけで蓋体が開くので、飲料容器からすぐに飲料を飲むことができる。
【００１０】
しかし、それは、ロックリングが外されている場合であって、押動部を押す前に、まずロックリングを外さなければならない。この動作は、蓋体を引き付けるように力が作用している係合を解除する動作であるので、意外に力が必要である。そのうえ、爪の先を立てなければならないような細かな作業である。また、ロックリングの解除のためにロックリングを引き倒す方向と、押動部を押す方向とは異なる方向であるので、たとえ指一本でロックリングの解除と押動部の押圧の操作が行えるとしても、ワンタッチでは開けない。
【００１１】
【特許文献１】特開平６−１９３３３２号公報
【特許文献２】特許第３６２００４２号公報
【発明の開示】
【発明が解決しようとする課題】
【００１２】
そこで、この発明は、他の物品と接触しても不測に開いてしまうことがなく、しかも、開動作がワンタッチできわめて容易に行えるようにすることを主たる課題とする。
【課題を解決するための手段】
【００１３】
そのための手段は、本体部の上に取付けられる蓋体を、本体部に枢着されたロック部材の遊端の係止爪による係止で、閉状態に保持する蓋体ロック構造であって、上記ロック部材には、該ロック部材を上記係止爪が係止する方向に付勢する第１付勢手段と、押圧されることで上記第１付勢手段に抗して当該ロック部材を回転させる被押圧部とが設けられ、該被押圧部には、該被押圧部上をその長さ方向に沿って相対摺動する操作部材が取付けられるとともに、該操作部材には、当該操作部材をロック部材から離反する方向に付勢する第２付勢手段が設けられ、上記本体部には、操作部材が第２付勢手段の付勢力に抗してロック部材に近接する方向に移動させられたとき所定距離の摺動を補助する摺動補助部と、操作部材が摺動補助部を越えた位置にあって摺動方向と交わる方向から押圧力を受けたときに上記ロック部材の回転を許容する凹所が形成された蓋体ロック構造である。
【００１４】
すなわち、本体部の上に取付けられる蓋体は、第１付勢手段により付勢されるロック部材の係止爪によって係止され、閉状態が保たれる。しかし、ロック部材を押したりして、ロック部材に外力を加えても、蓋体は開かない。蓋体を開くには、ロック部材の被押圧部上を、その長さ方向に沿って相対摺動可能に取付けられた操作部材に対して力を作用させなければならない。つまり、操作部材を、第２付勢手段の付勢力に抗して、ロック部材に近接する方向に移動し、摺動補助部材の補助により所定距離移動してから、操作部材に対して、摺動方向と交わる方向に押圧力を作用させ、操作部材を凹所に侵入させる。すとる、ロック部材が第１付勢手段の付勢力に抗して回転し、係止爪を蓋部材から外すので、ロックが解除される。
【００１５】
このように、ロック部材は外力を受けても動くことはなく、蓋体の閉状態は堅固に維持される一方、操作部材を操作することによって、ロック部材を回転し、ロックを解除できる。しかも、操作部材の操作は、操作部材をロック部材に近接する方向に移動して、そのまま、操作部材を凹所に押し込むように押すことで、容易にロックが解除できる。つまり、ワンタッチで開操作が可能である。
【００１６】
なお、上記蓋体は、枢着されて取付けられるものであるも、嵌合されて取付けられるものであるもよい。また、第１付勢手段や第２付勢手段は、ロック部材や操作部材に対して一体であるも、別体であるもよい。
【００１７】
ところで、上記各構成要素については、次のように構成することができる。  
その態様の一つは、上記操作部材が、凹所の内底面に向けて延びる足部を有し、凹所の内底面には、上記足部を摺動可能に受ける受け部が形成されたものである。
【００１８】
すなわち、操作部材の摺動に際しては、ロック部材との摺接部分のほか、操作部材の足部と本体部の凹所の受け部とによっても支えられる。このため、安定した摺動が可能である。
【００１９】
態様の他の一つは、上記摺動補助部の手前側角が、曲面又は傾斜面を有するものである。  
すなわち、上記曲面又は傾斜面が、操作部材を所定距離摺動した後で押し込むときに、作用する力の方向を緩やかに転換する。このため、操作部材の操作が、実質的に一つの動作として円滑に行える。
【００２０】
態様の他の一つは、上記第１付勢手段が、ロック部材の内側面の左右両側に離間されて配設されるとともに、これら第１付勢手段の間に前記第２付勢手段が配置されたものである。
【００２１】
すなわち、第１付勢手段を、たとえば板ばね状のもので構成し、第２付勢手段を、たとえば圧縮コイルばねで構成することで、ロック構造をコンパクトにまとめることが可能になる。また、第１付勢手段をロック部材と一体に構成することで、部品点数を低減し、コストを抑え、組み立て等の手間を省くこともできる。
【００２２】
別の手段は、上記蓋体ロック構造を備えた飲料容器である。  
すなわち、飲料容器に上記蓋体ロック構造を備えることによって、外力を受けても蓋体が偶発的に開かないようにすることができ、飲料がバッグやリュックの中にこぼれたりすることを防止できる。また、開操作がワンタッチで行えるので、飲みたい時にすぐに飲むことができる飲料容器となる。
【００２３】
この飲料容器が最も顕著な効果を奏するのは、特に、上記本体部が、内部の飲料を直接飲むための飲み口部を有した飲料容器の場合である。
【００２４】
すなわち、飲み口に直接口を付けて飲むことができる飲料容器では、片手で簡易迅速に蓋体を開けられることが好ましいが、その状態を、上記蓋体ロック構造によって得ることができる。
【発明の効果】
【００２５】
以上のように、この発明によれば、蓋体を係止しているロック部材の動作を規制する操作部材を有し、その操作部材に対する複数方向への一連の力の作用でロック部材が回動動作するように構成されている。この結果、ロック部材等が他の物品と接触してもその影響を受けて蓋体が不測に開いてしまうことを防止できる。しかも、蓋体を開くための動作は、操作部材に対してのみ力をかければよく、その動作は、片手によりワンタッチで行え、きわめて簡単である。
【発明を実施するための最良の形態】
【００２６】
この発明を実施するための一形態を、以下図面を用いて説明する。  
図１は、飲料容器１１の上部の縦断面図（図２のＡ−Ａ断面図）であり、この図に示すように、飲料容器１１は、上端の蓋体１２がワンタッチで開くように構成されている。
【００２７】
すなわち、飲料容器１１は、飲料を入れるための容器本体１３と、この容器本体１３の上部外周に固定される肩部材１４と、この肩部材１４に対して螺合により着脱可能に取付けられる口金部材１５と、この口金部材１５上に枢着された上記蓋体１２とを有する。そして、上記口金部材１５には、内部の飲料を、直接口を付けて飲むための飲み口１６が設けられ、上記ワンタッチで開蓋することの利便性を享受できるように構成されている。
【００２８】
上記蓋体１２は、上記飲み口１６を隠蔽する大きさの略逆椀形状で、内部の天井面における飲み口１６対応部には、飲み口１６の上端開口部をシールするシール材１７が取付けられている。そして、この蓋体１２は、上記口金部材１５の後側の枢着部１８にねじりコイルばね１９を介して枢着される。つまり、蓋体１２は、上記ねじりコイルばね１９により開方向に常時付勢されている。
【００２９】
この付勢力に抗して蓋体１２を閉じるのが蓋体ロック構造２１であって、口金部材１５と蓋体１２とにまたがるように、上記枢着部１８の反対側面に形成されている。
【００３０】
この蓋体ロック機構１２は、口金部材１５に枢着されたロック部材３１の上端の係止爪３２を、蓋体１２に形成された被係止部１２ａに対して係止することで、蓋体１２の閉状態を保持するというもので、偶発的なロック部材３１の回動動作を阻止するとともに、簡単な開操作を可能とするために、このロック部材３１の回動動作を規制する操作部材４１が備えられている。これらロック部材３１と操作部材４１は、口金部材１５に形成された凹所５１に収められる。凹所５１は、正面視略縦長長方形状で、周囲に堤状に盛り上げられた外壁部５２が形成されている。
【００３１】
ロック部材３１は、凹所５１内に回動可能に取付けられるもので、縦長の凹所５１の上側部分に対して軸部材６１により枢支されている。また、外側に露出する板状部３４の内側面の上端に、上記係止爪３２が一体形成され、それよりも下側の左右両側に、間隔を隔てて２つの板ばね状のばね部３５，３５が一体形成されている。このばね部３５，３５は、側面視略逆Ｊ字状で、上記係止爪３２を蓋体１２の被係止部１２ａに係止する方向に付勢するためのものである。
【００３２】
そして、このロック部材３１の板状部３４の内側面における下端部からは、正面視Ｕ字状の被押圧部３６が形成されている。被押圧部３６は、上記軸部材６１位置より下側にあり、凹所５１側へ押圧されることによって係止爪３２が被係止部１２ａから外れる方向に向けて、ロック部材３１を回転させるための部分である。
【００３３】
この被押圧部３６上に、上記操作部材４１は保持される。保持は被押圧部３６の長さ方向に沿って摺動可能に行われる。
【００３４】
操作部材４１は、図２、図３にも示したように、ロック部材３１から離反する方向に付勢されており、上記被押圧部３６の内側にはまり込む本体部４２と、該本体部４２の下端部からその外側面がわに形成された入力部４３とを有する。
【００３５】
本体部４２は、前側壁４４と、左右両側の側壁４５とを有し、側壁４５には、上記軸部材５１が相対移動する長孔４６が形成されている。
【００３６】
また、前側壁４４と、両側壁４５の前側壁４４がわの下端部には、凹所１５ａの内底面に近い位置まで延びた足部４７が設けられている。
【００３７】
さらに、前側壁４４には、上方に突出する突起４８が形成される。これは、口金部材１５の凹所５１の天井面に形成された垂下突起部５３との間に、上記ロック部材３１から離反する方向に付勢するための圧縮コイルばね６２を取付けるためのものである。
【００３８】
上記入力部４３は、操作部材４１に対して力を作用させるための部分で、板状に形成され、その上部に枕状の膨らみ４９を有し、指先が滑らないように構成されている。
【００３９】
一方、口金部材１５の凹所５１には、上記操作部材４１の所定距離の摺動を補助するための摺動補助部５４が、その下端部に形成されている。この摺動補助部５４は、図４にも示したように、幅方向の中間にリブ状に形成される。
【００４０】
その長さは、操作部材４１を故意に移動させなければ入力部４３の下端が摺動補助部５４より上方に位置しないようにする適宜の長さである。この長さは、蓋体ロック機構２１の適用対象やその目的、圧縮コイルばね６２による付勢力等の条件によって適宜設定される。  
また、摺動補助部５４の手前側角には、曲面５５が形成されている。
【００４１】
さらに、上記操作部材４１の足部４７に対応する位置には、足部４７と摺動する受け部５６が形成されている。図示例では、操作部材４１の摺動方向が、鉛直方向、換言すれば凹所５１の内底面と平行ではなく傾いているので、受け部５６は、摺動方向と平行な面が得られるように、側面視直角三角形状に形成されている。この受け部５６は、操作部材４１の本体部４２の両側壁４５に対応する２箇所に形成される。  
なお、上記係止爪３２の上側に形成された傾斜面は、蓋体１２を閉じる時のための従動面３３である。
【００４２】
また、上記被係止部１２ａの周囲には、被係止部１２ａに係止した係止爪３２が、他の物品と接触して、被係止部１２ａから外れる方向に持ち上げられないようにするため、口金部材１５の場合と同様に、堤状に盛り上げた外壁部１２ｂが形成されている。
【００４３】
このような構成の蓋体ロック構造２１を備えた飲料容器１１では、次のようにして蓋体１２の開操作を行う。
【００４４】
すなわち、図５に実線で示したように、操作部材４１の入力部４３を圧縮コイルばね６２の付勢力に抗して上へ押し上げ、このまま入力部４３を、外側から凹所５１側に押圧する（図６参照）。つまり、押し上げ動作と押圧動作のツーアクションが必要である。すると、入力部４３の下端は、摺動補助部材５４の手前側角の曲面５５に沿ってすべるように移動し、凹所５１内に入り、入力部４３その他の部位によってロック部材３１の被押圧部３６を押圧する（図７参照）。
【００４５】
この押圧によりロック部材３１は、ばね部３５の付勢力に抗して回動させられ、先端の係止爪３２を被係止部１２ａから外す。
【００４６】
これにより、ねじりコイルばね１９を介して枢着されたる蓋体１２は、さっと開き、同時に、蓋体１２に取付けられたシール材１７が飲み口１６から離れて、飲み口１６の上端開口部は開放され、すぐに飲料を飲める状態となる。
【００４７】
蓋体１２を閉じるには、蓋体１２をねじりコイルばね１９の付勢力に抗して押し下げれば、係止爪３２上面の従動面３３の存在により、ロック部材３１は回動させられ、自動的に係止が行われる。
【００４８】
上述のように開蓋に際しての動作は、２方向に力をかける必要があるものの、これは連続した一連の動作である。しかも、入力部４３のみに対して力をかければよいので、その動作は一つの動作ですむ。
【００４９】
しかも、操作部材４１は、その本体部４２と長孔４６と足部４７と、これらに摺接する部位とによって、安定して摺動するとともに、特に足部４７を設けているので、操作部材４１を凹所１５に押し込む方向に力をかけながら操作部材４１を押し上げても、その時にかかる荷重を足部４７が摺接する受け部５６で受けることができ、力をかける方向を考慮しなくともよい。
【００５０】
さらに、摺動補助部５４が有する曲面５５の存在により、作用する力の方向が緩やかに転換される。
【００５１】
これらの結果、開操作は、きわめて簡単で、片手に飲料容器１１を持ちながら、その手の１本の指で、容易に操作できる。
【００５２】
一方、蓋体１２の閉状態おいては、ロック部材３１は、外壁部１２ｂ，５２の存在も手伝って、外力を受けても全く動かない。
【００５３】
そのうえ、このようなロック部材３１を回動操作するための操作部材４１も、上述のように２方向の力を連続して加えなければ、ロック部材３１を回動させることはできない。
【００５４】
このため、蓋体１２の閉状態は確実に保持される。この結果、たとえばバッグやリュック等に飲料容器１１を入れて持ち歩いたりした場合に、ロック部材３１や操作部材４１が何らかの物品と接触しても、蓋体１２が不測に開いてしまうことのない閉状態が得られる。
【００５５】
また、ロック部材３１を付勢するばね部３５をロック部材３１に対して一体形成するとともに、これを左右に離間配置して、その間に、操作部材４１を付勢する圧縮コイルばね６２を配設したので、部品点数を抑えることができ、組み立てを簡単にすることがきるとともに、蓋体ロック構造２１をコンパクトに構成することができる。このため、飲料容器１１の蓋体ロック構造として好適である。
【００５６】
この発明の構成と、上記一形態の構成との対応において、  
この発明の本体部は、上記一形態における口金部材１５に対応し、  
以下、同様に、  
第１付勢手段は、ばね部３５に対応し、  
第２付勢手段は、圧縮コイルばねに対応し、  
飲み口部は、飲み口１６に対応するも、
この発明は、上記一形態の構成のみに限定されるものではなく、その他の形態を得ることができる。
【００５７】
たとえば、飲料容器１１のねじりコイルばね１９に代えて、シール材１７やその他の適宜の付勢手段によって蓋体１２が開方向に付勢されるように構成するもよく、付勢手段を省略するもよい。
【００５８】
また、摺動補助部５４については、線で操作部材４１の摺動を補助するリブ状のものを示したが、面で操作部材４１の摺動を補助するものであるもよい。
【００５９】
さらに、蓋体ロック構造２１は、飲料容器のほか、各種の道具や医薬品などを収納する容器をはじめとした必要とされる様々な物品に適用できる。
【図面の簡単な説明】
【００６０】
【図１】飲料容器の要部の断面図。
【図２】飲料容器の要部の正面図。
【図３】図２のＢ−Ｂ断面図。
【図４】凹所の正面図。
【図５】蓋体の開操作を示す説明図。
【図６】蓋体の開操作を示す説明図。
【図７】蓋体の開操作を示す説明図。
【符号の説明】
【００６１】
１１…飲料容器
１２…蓋体
１５…口金部材
１６…飲み口
２１…蓋体ロック構造
３１…ロック部材
３２…係止爪
３５…ばね部
３６…被押圧部
４１…操作部材
４７…足部
５１…凹所
５４…摺動補助部
５５…曲面
５６…受け部
６２…圧縮コイルばね
【図１】
2006298449.tif 000003
【図２】
2006298449.tif 000004
【図３】
2006298449.tif 000005
【図４】
2006298449.tif 000006
【図５】
2006298449.tif 000007
【図６】
2006298449.tif 000008
【図７】
2006298449.tif 000009